(57)【要約】      （修正有）【課題】酒を提供する店舗に配置させることで自然感と意匠感に優れた装飾性の発揮と、且多量の酒を長時保存しえるとともに美味さを付加せしめられ、而も分注も極めて簡便になしえる酒の分注器及び分注器セットを提供する。【解決手段】桧板材を用い、底部１１を有し且四側面を形成する側面板１２の端縁嵌合部が相互に組み木嵌合されて酒溜部が形成され、且該酒溜部の開口部には開閉蓋１４が設けられ、且この開閉蓋を跨渡して把持部１５がその両端縁を側面板外面と固定され、更に側面板の一側の下部位には酒通孔と弁孔が貫通形成され且酒通孔の端縁が酒溜部と連通し、而も他端が弁孔に沿って下方に曲折されてその端縁に注酒口１７を有し、且弁孔内に開閉弁１８が装着された構造の酒の分注器。【選択図】図１
0003105056.tif 000002
【実用新案登録請求の範囲】
【請求項１】
桧板材を用い、底部を有し且四側面を形成するそれぞれの側面板の端縁嵌合部が相互に組み木嵌合されて所要内容積の酒溜部が形成され、且酒溜部の開口部には着脱自在でその上面に適宜形状及び大きさの保持部を有する開閉蓋が設けられ、更に側面板の対向する二側面板の外面適宜位置には開閉蓋を跨渡して把持部の両端縁が固定されてなり、而も把持部の固定される側面板と直交する一側面板の下部位適宜位置には、その内部に横方向の酒通孔と縦方向の弁孔とが連結貫通されてなり、且酒通孔の端縁が酒溜部と連通するように嵌入固定され、更に他端が弁孔に沿って下方に曲折されたうえその端縁に注酒口が設けられ、而も弁孔には該弁孔を押引開閉させる開閉弁が装着された注酒栓が設けられた構造からなる酒の分注器。
【請求項２】
桧板材からなり、所要の高さと且太さの角柱若しくは円柱状の脚部が、その上部に酒の分注器を載置できる大きさの載置板の下側に取付けられた構造の載置台と、底部材及びその上部に四壁面を形成するそれぞれの壁面板の端縁嵌合部が組み木嵌合されて所要内容積の注酒部が形成され、且注酒部の開口部を閉蓋しえる大きさでその上面に保持突部が設けられた閉塞蓋とからなる構造の小升と、これら全体を載置配位できる大きさの平板状で、且その周縁に所要の高さの突条が形成された構造の載置盆と、請求項１記載の酒の分注器とで構成される酒の分注器セット。
【考案の詳細な説明】
【技術分野】
【０００１】  本考案は酒の分注器及び分注器セットに係るもので、更に詳しくは優れた装飾性を有し貯溜される酒を長時に保存し且美味しさを付加せしめて賞味することの可能な、酒の分注器及び分注器セットに関するものである。
【背景技術】
【０００２】  近年においては飲食を含む食生活の主体が飲食店やレストラン等においてなされる外食化や、調理された惣菜類や弁当、スナック食品等を購買のうえ適宜場所において個人で若しくはグループで飲食をなす中食化へと変化しており、而も生活水準の向上とも相俟って、これら外食や中食における献立や調理にも高級化や個性化が一段と強く求められており、これがため外食産業相互間或いは中食産業相互間には、顧客獲得のための熾烈な競争が展開されている。【０００３】  そして外食や中食に供される食材としての青果類や畜肉類或いは魚介類等は、多種多様なものが時季を問わず供給される状況にあり、献立や調理も略同等のものとなる。従って高級化や個性化を指向する顧客の獲得のためには新規特異な献立や調理に加え、付帯する酒類やジュース類においても高級化や個性化が求められ、更には飲食店やレストラン等の内装や雰囲気等に至る飲食環境の高級化や個性化も強く要請される状況にある。【０００４】  これがため現状においてはフランス料理やイタリア料理を主体とする店舗においては、店舗の外装や内装の欧風様式化と且備品や調度品等も欧風製品の採用に加えて、ワインセラーの設置並びに欧風ワインの提供等欧風環境の徹底した再現を図っており、更に和食を主体とする店舗においても、海鮮料理や郷土料理等その主体とする料理をイメージする外装や内装並びに備品や調度品を使用し飲食環境の高級化や個性化を図っている。【０００５】  而して和食においては極めて多量の日本酒が付帯して飲用されるものであるが、日本酒は折角大樽等において醸造させても、その殆んどが物流上の取扱性や消費の小口化のため壜詰とされてなり、従ってこの壜詰された日本酒を飲用時に徳利若しくは銚子等の小口容器に手注ぎし、更にこの徳利若しくは銚子から小さな盃に分注して飲酒するものであるから、醸造時の酒本来の旨みやフレーバー等の高品質性が逸散喪失されて十分な賞味がなしえぬ結果となっている。【０００６】  ところで酒はその醸造地の気候を初め醸造原材料、醸造方法等によって微妙に風味や味覚或いは香り等を異にするものであり、従って酒の愛好者や嗜好者はもとより高級化や個性化指向の強い今日では、この微妙な風味や味覚或いは香りを持つ酒への希求が富みに高まっている。
これがため従来においても一部の酒の愛好者や嗜好者は限定された小料理店や酒バー等において盃に代えて木製の小升を用い壜詰された酒を分注のうえ飲用していたものの、小升が新しい場合には小升のフレーバーが付加されるものの酒自体には十分に含着されず、且使用経過とともにフレーバーの付加も減失されること等により、利用客の多い店舗では有効利用されるまでに至らず、而も注文毎に酒壜を開栓し小升へ分注するには多大な労力が強いられること等とも相俟って採用されるに至っていない。【０００７】  考案者はかかる現状の問題に鑑み研究を重ねた結果、使用素材に桧板材を用いることにより安全性が高く且芳醇で高貴なフレーバーの成分たるエノキチオールが酒に含着されること、及び多様な形状のものでも容易に加工しえ、組み木嵌合により意匠感に優れる分注器の形成やその開口部を開閉自在となす開閉蓋の形成、或いはその下部位に注酒栓の形成と取付けも可能となり、而もこの酒溜部に多量の酒を貯溜させることにより、外部温度や湿度の変化に対しても安定して長時に亘り貯溜保存ができるばかりか、桧板材のフレーバーが十分に含着されて美味しい酒として賞味できるとともに、多数の利用客への分注にも注酒栓の操作で容易に分注できることを想到し本考案に至ったものである。
【考案の開示】
【考案が解決しようとする課題】
【０００８】  本考案は酒を提供する店舗に配置させて自然感と意匠感に優れた装飾性を発揮させ、且多量の酒を長時に亘り保存し且美味さを付加せしめ、而も多数の利用客への分注も極めて簡便になしえる酒の分注器及び分注器セットを提供することにある。
【課題を解決するための手段】
【０００９】  この課題を解決するため本考案が用いた手段は、使用素材として飲用される酒に対し安全で且芳醇で高貴なフレーバーを発散含着させる成分としてヒノキチオールを含み、而も加工性に優れるとともに温度や湿度に対し安定で且自然感に優れる素材として桧板材が用いられる。
そして該桧板材で所要の大きさの底部を形成し且その上部に、四側面を形成するそれぞれの側面板に形成させた端縁嵌合部を相互に組み木嵌合させることにより、所要内容積の酒溜部が形成される。
そしてこの酒溜部の開口部には、該酒溜部内に所要量の酒を簡便に注入し、且注入された酒を衛生的に且温度や湿度に影響されることなく長時に亘って保存せしむるうえから、着脱自在に而も開口部を開閉しえる適宜形状及び大きさの保持部を有する開閉蓋が設けられている。【００１０】  更に側面板の対向する二側面板の外面の適宜位置には、開閉蓋を跨渡して、酒の分注器を適宜に把持移動しえるよう把持部の両端縁が固定されており、而もこの把持部が固定される側面板と直交する一側面板の下部位適宜位置には、その内部に酒溜部内に貯留された酒を分注させるため、その内部に横方向の酒通孔と縦方向の弁孔とが連結貫通されてなり、且酒通孔の端縁が酒溜部と連通するよう嵌入固定され、更にその他端が下方に曲折されたうえその端縁に注酒口が設けられ、而も弁孔には該弁孔を押引開閉できる開閉弁が装着された注酒栓が設けられた構造の酒の分注器に存する。【００１１】  加えて桧板材からなり所要の高さと且太さの角柱若しくは円柱状の脚部が、その上部に前記酒の分注器を載置できる大きさの載置板の下側に取付けられた構造の載置台と、底部材及びその上部に四壁面を形成するそれぞれの壁面板の端縁嵌合部が組み木嵌合されて、所要の内容積の注酒部が形成され、且該注酒部の開口部を閉塞しえる大きさで而もその上面に保持突部が設けられた閉塞蓋とからなる構造の小升と、これら全体を載置配位できる大きさの平板状で、且その周縁に所要の高さで載置配位物の脱落を防止するための突条が形成された構造の載置盆と、前記酒の分注器とにより構成される酒の分注器セットに存する。
【考案の効果】
【００１２】  本考案は上述のような技術手段を用いてなるものであるから、酒を多量に貯留させる酒溜部並びにその開口部を開閉する開閉蓋を初め、酒溜部の酒を分注させる注酒栓、或いは分注され飲用するための小升等酒の接触する部分が全て桧板材からなるため飲用に際しては桧板材特有の芳醇で高貴なフレーバーがしっかりと含着され、而も酒は燗と冷や等の温度により風味や味覚が変化するものの、本考案酒溜部は外部温度や湿度に影響されぬため高い風味や味覚で且長時に亘って賞味飲用ができる。【００１３】  加えて本考案は桧板材を用いてなるため外観には桧板材の木目が現出され、且酒の分注器や小升等は該桧板材を組み木嵌合させて形成されてなるから、民芸調の意匠感が強く発揮され酒を提供する店舗内においては特有の装飾性が発揮される。
而も本考案酒の分注器においては酒溜部内に多量の酒が貯留できるとともに、注酒栓の開閉のみで極めて多量の分注が簡便になしえることとなる。
【考案を実施するための最良の形態】
【００１４】  桧板材を用いて底部を有し且四側面がそれぞれ側面板に形成された端縁嵌合部を相互に組み木嵌合させて所要内容積の酒溜部が形成され、且この酒溜部の開口部には着脱自在の開閉蓋が設けられ、更にこの開閉蓋を跨渡して対向する二側面板の外面適宜位置に把持部の両端縁が固定され、而もこの把持部が固定された側面板と直交する一側面板の下部適宜位置には、その内部に横方向の酒通孔と縦方向の弁孔とが連結貫通され且酒通孔の端縁が酒溜部と連通するよう嵌入固定され、更に他端に注酒口が設けられ、且弁孔には該弁孔を押引開閉させる開閉弁が装着された注酒栓が設けられた構造の酒の分注器。
【実施例１】
【００１５】  以下に本考案実施例を図とともに詳細に説明すれば、図１は本考案酒の分注器１の説明図であって、本考案酒の分注器１は貯留される酒２に芳醇且高貴なフレーバーを含着せしめることを初め、貯留される酒２を長時に亘って温度や湿度変化より保護し保存を図ること、並びに多様な加工に際しての優れた加工性及び自然感に溢れる木目模様を活用するうえから使用素材として桧板材１０が用いられるもので、とりわけ木曽桧材による征目の板材が望ましい。
そして該桧板材１０で酒の分注器１を形成する場合において、底部１１を初め四側面板１２及び酒溜部１３或いは開閉蓋１４等においては酒２の貯留容量にもよるが、略１０乃至１６ｍｍ程度の厚さのものが耐使用強度のうえから用いられるが、反面注酒栓１６は一体的に形成させるうえから、略３０乃至４０ｍｍの厚さのものが使用される。【００１６】  かくして選択された桧板材１０を所要の大きさの正方形若しくは長方形状に切断することにより底部１１が形成される。
そしてこの底部１１の上部には所要の幅及び長さで且その端縁に端縁嵌合部１２Ａが形成された側面板１２をそれぞれ相互に四側面が形成されるよう組み木嵌合させることにより、所要内容積を有する酒溜部１３が形成される。
かかる場合の底部１１と側面板１２との接合には木工ビス止めや嵌合等の手段も採用できるが、酒溜部１３に多量の酒２が貯留された場合の内部圧による漏酒の危険を防止するうえかは、水性高分子イソシアネート接着材の使用が好適である。更に側面板１２を同一の幅で使用することにより酒溜部１３の開口部１３Ａを平坦に形成させても、或いは後面の側面板１２に対して前面の側面板１２に幅の狭いものを使用し且左右の側面板１２の上端に勾配を設けることにより、図２に示すような傾斜開口部１３Ｂが形成される構造のものも提案される。【００１７】  更に側面板１２の相互を組み木嵌合させる端縁嵌合部１２Ａはそれぞれの側面板１２の一方側縁に嵌合凸部１２Ｂを形成し、且対称的他方側縁に嵌合凹部１２Ｃを形成させこの嵌合凸部１２Ｂと嵌合凹部１２Ｃとを交互に嵌合させる。そしてこの嵌合凸部１２Ｂの長さ及び嵌合凹部１２Ｃの深さは、側面板１２の厚さと略等しく形成されるが嵌合凸部１２Ｂの幅及び嵌合凹部１２Ｃの幅は、組み木嵌合により美感に優れた意匠模様を現出させるうえからは、側面板１２の厚さに対して略１／２乃至２／３程度の幅が望ましい。【００１８】  側面板１２の相互が組み木嵌合されて形成される酒溜部１３の開口部１３Ａには、酒２の流通に使用されてなる壜や樽等から適宜容量の酒２を貯留させるため、並びに保存時における温度や湿度の影響を排除すること、及び飛散浮遊する細菌類や塵埃等の混入防止のための開閉蓋１４が設けられている。
この開閉蓋１４は開口部１３Ａを実質的に開閉出来るものであれば実用上差し支えが無く、従って開口部１３Ａの上面に載置開閉させるものや、開口部１３Ａと嵌着出来るものであれば特段の制限は無いが、該開閉蓋１４の上面には酒２の貯留に際して開閉が至便になしえるよう、適宜形状及び大きさの保持部１４Ａが取付けられている。【００１９】  更に本考案酒の分注器１は定期に清掃したり、若しくは閉店後の整理或いは店舗内の配置移動等に際し逐次移動がなされるために把持部１５が設けられている。
この把持部１５は酒２の酒溜部１３への貯留作業に支障が無いよう、組み木嵌合された側面板１２の対向する側面板１２の外面より開閉蓋１４を十分なゆとりを以って跨渡形成されるものであり、且該把持部１５の両端縁１５Ａは側面板１２の外面と固定されている。
かかる場合に把持部１５の構造や側面板１２との固定手段には特段の制約は無いが、把持部１５の具体的構造を挙げれば対向する側面板１２の外面に固定された把持柱１５Ｂ、１５Ｂの上端近傍に挿通部１５Ｃ、１５Ｃをそれぞれ形成し、この挿通部１５Ｃ、１５Ｃに把持桁１５Ｄを挿通固定させたものが挙げられる。そして側面板１２との固定手段の具体的なものとしては、木工ビスや金属ビス或いはこれらと水性イソシアネート系接着剤の併用が挙げられる。【００２０】  かかる如くして把持部１５の両端縁１５Ａが固定された側面板１２、１２と直交する側面板１２の下部位適宜位置には、図３に示すように酒溜部１３に貯留されてなる酒２を多数に分注させるための注酒栓１６が取付けられている。
この注酒栓１６は桧板材１０により一体的に形成されるものであるから、比較的厚い桧板材１０が用いられる。
そして該注酒栓１６は、その内部の横方向には酒溜部１３からの酒２を流通させるための酒通孔１６Ａが設けられ、且縦方向には酒通孔１６Ａからの酒２の流通を開閉調節させて、多数の分注をなすための弁孔１６Ｂが設けられ且この酒通孔１６Ａと弁孔１６Ｂとが連結貫通されている。【００２１】  更に酒通孔１６Ａの端縁は酒溜部１３と連通するよう側面板１２と嵌入固定１６Ｃされてなり、且他端は該弁孔１６Ｂに沿って下方に曲折された形状を有しており、而も弁孔１６Ｂには適宜に押引することで酒通孔１６Ａを開閉させて弁孔１６Ｂを介して注酒口１７より分注される酒量を調節させるための開閉弁１８が装着された構造を有している。【００２２】  かかる場合の開閉弁１８は頻繁に分注がなされるうえから押引操作が容易なよう上部にはノブ１８Ａが設けられ、且押引操作が軽微になしえ而も流通の開閉を確実になすうえからは酒通孔１６を遮断する部位の範囲に遮断テーパー１８Ｂを設けることが好都合であり、当然にかかる遮断テーパー１８Ｂを設ける場合には弁孔１６Ｂもこれに対応した形状で穿孔がなされる。そして肝要なことは酒通孔１６Ａの断面積に対して弁孔１６Ｂ、特には注酒口１７の断面積が略５０乃至１００％程度大きく形成させることを考慮すべきであって、かかる理由は酒溜部１３において加圧された酒２が開閉弁１８の開閉に際しての押引間隙１８Ｃより逆流漏出させぬための配慮からによる。【００２３】  本考案酒の分注器１はかかる構造よりなるものであるが、今日の如く飲食に対しての高級化指向や個性化指向の高まっている背景においては酒や料理自体はもとより、使用する食器類や調度品、飲食する環境や雰囲気等も重要な要素となる。
これがためには酒の分注油器１において芳醇且高貴なフレーバーの含着と且安定した保存により美味さが付加された酒２をそのままの状態で賞味飲用に供するため、或いは桧板材による自然感や意匠感に溢れる装飾性を飲食環境や雰囲気に強く活かすうえからは、付帯する載置台３や飲用のための小升４或いはこれらを全体を載置配位させる載置盆５をセットとして用いる酒の分注器セット６の使用が提案される。【００２４】  即ち図４は載置台３の説明図であって、該載置台３はその上部に酒の分注器１を載置させて、その注酒栓１６の注酒口１７より酒２を賞味飲用するための小升４に分注させるうえから、該小升４を容易に配位し分注しえる程度の適宜高さで、且所要容量で貯留される酒２の重量に十分耐えうる太さの角柱若しくは円柱形状の脚部４Ａを用い、この脚部４Ａが載置される酒の分注器１を載置しえる大きさに形成された載置板３Ｂの下側に取付けられた構造を有するものである。【００２５】  図５は小升４の説明図であって、該小升４は酒の分注器１により芳醇且高貴なフレーバーが含着され、而も安定した保存により美味さが付加された酒２の美味さを喪失させずに分注飲用させるうえから、桧板材１０を所要の大きさに切断して底部材４Ａが形成され、且この底部材４Ａの上部に所要の幅および長さの壁面板４Ｂを用い、且該壁面板４Ｂの一方側端縁に嵌合凸部４Ｃ及び他方側端縁に嵌合凹部４Ｄが形成されてなり、それぞれの壁面板４Ｂの嵌合凸部４Ｃと嵌合凹部４Ｄとを組み木嵌合させることにより、所要内容積の注酒部４Ｅが形成された構造のものである。【００２６】  かかる如くしてなる酒の分注器１や載置台３、飲用のための小升４等は美味しい酒を賞味するために風味や味覚を高めることと共に、飲用する背景としての家庭内や店舗内の環境や雰囲気等をもその優れた自然感や意匠感に係る装飾性を以って高めることが望まれるため、これらが全体的にセットとして容易に移動し設置できることが要請される。【００２７】  そこで図６に示すように、酒の分注器１が載置される載置台３並びに複数個の小升４等も載置配位される程度の大きさで且平板状の配位板５Ａを形成したうえ、載置配位される載置台３や小升４等が移動設置時に脱落せぬよう、その周縁には所要の高さを以って突条５Ｂが形成されてなる構造の載置盆５とにより酒の分注器セット６が構成される。
【産業上の利用可能性】
【００２８】  本考案は家庭内や飲食店舗内において美味しい酒の賞味のための酒の分注器として利用はもとより、その自然感や意匠感による民芸調の装飾品として家庭内や店舗内の装飾品としても利用できる。
【図面の簡単な説明】
【００２９】
【図１】  酒の分注器の説明図である。
【図２】  開口部の他の態様図である。
【図３】  注酒栓の断面説明図である。
【図４】  載置台の説明図である。
【図５】  小升の説明図である。
【図６】  酒の分注器セットの見取図である。
【符号の説明】
【００３０】  １    酒の分注器
１０    桧板材
１１    底部
１２    四側面板
１２Ａ  端縁嵌合部
１２Ｂ  嵌合凸部
１２Ｃ  嵌合凹部
１３    酒溜部
１３Ａ  開口部
１３Ｂ  傾斜開口部
１４    開閉蓋
１４Ａ  保持部
１５    把持部
１５Ａ  把持部の両端縁
１５Ｂ  把持柱
１５Ｃ  挿通部
１５Ｄ  把持桁
１６    注酒栓
１６Ａ  酒通孔
１６Ｂ  弁孔
１６Ｃ  嵌入固定
１７    注酒口
１８    開閉弁
１８Ａ  ノブ
１８Ｂ  遮断テーパー
１８Ｃ  押引間隙
２    酒
３    載置台
３Ａ  脚部
３Ｂ  載置板
４    小升
４Ａ  底部材
４Ｂ  壁面板
４Ｃ  壁面板の嵌合凸部
４Ｄ  壁面板の嵌合凹部
４Ｅ  注酒部
５    載置盆
５Ａ  配位板
５Ｂ  突条
６    酒の分注器セット
【図１】
0003105056.tif 000003
【図２】
0003105056.tif 000004
【図３】
0003105056.tif 000005
【図４】
0003105056.tif 000006
【図５】
0003105056.tif 000007
【図６】
0003105056.tif 000008